(57)【要約】【課題】  接着剤等の固定部材を用いずに組み立てられ、搬送中の振動や衝撃によって固定がずれたり、物品の出し入れ時に物品を引っ掛けて破れを生じたりすることのない段ボール組立て体を提供すること。【解決手段】  夫々略同じ形状の切込み部が設けられた段ボールシートが複数枚重なった重ね合わせ部において、切込み部を重ねて直線状の基端部で折り返すことによって段ボールシート複数枚を接合してなる段ボール組立て体であって、切込み部のうち、折り返された時に折り返し方向の最後方に位置する段ボールシートの切込み部は、他の切込み部から張り出した耳部を有することを特徴とする段ボール組立て体とする。【選択図】  図１
2010036958.tif 000002
【特許請求の範囲】
【請求項１】
夫々略同じ形状の切込み部が設けられた段ボールシートが複数枚重なった重ね合わせ部において、前記切込み部を重ねて直線状の基端部で折り返すことによって前記段ボールシート複数枚を接合してなる段ボール組立て体であって、
前記切込み部のうち、折り返された時に折り返し方向の最後方に位置する段ボールシートの切込み部は、他の切込み部から張り出した耳部を有することを特徴とする段ボール組立て体。
【請求項２】
前記切込み部が基端部を１辺とする四角形であり、前記耳部は、基端部となる１辺に隣接する両辺の先端側に夫々基端部と略平行な方向に張り出してなることを特徴とする請求項１に記載の段ボール組立て体。
【請求項３】
前記切込み部が台形であり、短い方の底辺を基端部とすることを特徴とする請求項２に記載の段ボール組立て体。
【請求項４】
帯状の段ボールシートを長手方向にｎ回折り曲げて（ｎ＋１）個の面を形成し、両端に位置する２面を重ねて前記重ね合わせ部とすることで、
底面がｎ角形の無底筒状に形成された請求項１乃至３の何れかに記載の段ボール組立て体。
【請求項５】
２枚の帯状の段ボールシートを夫々長手方向にｎ回折り曲げて夫々（ｎ＋１）個の面を形成し、一方の段ボールシートの両端に位置する２面と他方の段ボールシートの両端に位置する２面とが一致しないように前記２枚の段ボールシートを（ｎ＋１）個の面で重ねて、底面が（ｎ＋１）角形の無底筒状とし、
外側に位置する段ボールシートの少なくとも両端に位置する２面での重なり部分を前記重ね合わせ部とする請求項１乃至３の何れかに記載の段ボール組立て体。
【請求項６】
物品を梱包する時に緩衝材として用いられる請求項１乃至５の何れかに記載の段ボール組立て体。
【請求項７】
物品を梱包する箱体として用いられる請求項１乃至３の何れかに記載の段ボール組立て体。
【発明の詳細な説明】
【技術分野】
【０００１】
本発明は、接着剤、ステープル等の固定手段を用いずに組立てられてなり、物品の梱包資材等として用いられる段ボール組立て体に関するものである。
【背景技術】
【０００２】
一般に段ボールは、物品の梱包に使用される箱体をはじめ、物品（特に家電やＯＡ機器等の精密装置）の形状に合わせて様々な形状の組立て体として物品と共に梱包して衝撃や振動から物品を守る緩衝材や、物品を載せるパレット等の梱包資材に利用される。
【０００３】
これら段ボール組立て体は従来、接着剤、ステープル、粘着テープ等の固定手段によって接合されて形成されるのが主流であった。
【０００４】
しかし近年、地球環境保護の観点から梱包資材の分別回収や再利用が推奨され、接着剤、ステープル、粘着テープ等の固定手段を用いずに組み立てることが求められている。
【０００５】
そこで特許文献１では、箱状の段ボールを重ね合わせ、重ね合わせた部分に同一形状の切込み部（５１）、（５２）を形成して、それらを合わせて折り込んで接合部（５０）として固定し組み立てる組立式梱包ケース（５００）が提案され、接着剤等の固定手段を用いずに組立て体を形成することを実現している。（図６参照）
【０００６】
しかしながら、特許文献１の組立式梱包ケース（５００）は、図６に示すように外側の段ボールと内側の段ボールの切込み部（５１）、（５２）が同形状であるため、搬送中の振動や衝撃によって、接合部（５０）が外れて固定がずれたり、逆方向に折り返って、物品を引っ掛けて切込み部（５１）、（５２）を破ってしまったりする虞があるという問題がある。
【０００７】
【特許文献１】特開２００７−１５９４号公報
【発明の開示】
【発明が解決しようとする課題】
【０００８】
本発明が解決しようとする課題は、接着剤等の固定部材を用いずに組み立てられ、搬送中の振動や衝撃によって固定がずれたり、物品の出し入れ時に物品を引っ掛けて破れを生じたりすることのない段ボール組立て体を提供することである。
【課題を解決するための手段】
【０００９】
請求項１に係る発明は、夫々略同じ形状の切込み部が設けられた段ボールシートが複数枚重なった重ね合わせ部において、前記切込み部を重ねて直線状の基端部で折り返すことによって前記段ボールシート複数枚を接合してなる段ボール組立て体であって、前記切込み部のうち、折り返された時に折り返し方向の最後方に位置する段ボールシートの切込み部は、他の切込み部から張り出した耳部を有することを特徴とする段ボール組立て体に関する。
【００１０】
請求項２に係る発明は、前記切込み部が基端部を１辺とする四角形であり、前記耳部は、基端部となる１辺に隣接する両辺の先端側に夫々基端部と略平行な方向に張り出してなることを特徴とする請求項１に記載の段ボール組立て体に関する。
【００１１】
請求項３に係る発明は、前記切込み部が台形であり、短い方の底辺を基端部とすることを特徴とする請求項２に記載の段ボール組立て体に関する。
【００１２】
請求項４に係る発明は、帯状の段ボールシートを長手方向にｎ回折り曲げて（ｎ＋１）個の面を形成し、両端に位置する２面を重ねて前記重ね合わせ部とすることで、底面がｎ角形の無底筒状に形成された請求項１乃至３の何れかに記載の段ボール組立て体に関する。
【００１３】
請求項５に係る発明は、２枚の帯状の段ボールシートを夫々長手方向にｎ回折り曲げて夫々（ｎ＋１）個の面を形成し、一方の段ボールシートの両端に位置する２面と他方の段ボールシートの両端に位置する２面とが一致しないように前記２枚の段ボールシートを（ｎ＋１）個の面で重ねて、底面が（ｎ＋１）角形の無底筒状とし、外側に位置する段ボールシートの少なくとも両端に位置する２面での重なり部分を前記重ね合わせ部とする請求項１乃至３の何れかに記載の段ボール組立て体に関する。
【００１４】
請求項６に係る発明は、物品を梱包する時に緩衝材として用いられる請求項１乃至５の何れかに記載の段ボール組立て体に関する。
【００１５】
請求項７に係る発明は、物品を梱包する箱体として用いられる請求項１乃至３の何れかに記載の段ボール組立て体に関する。
【発明の効果】
【００１６】
請求項１に係る発明によれば、夫々略同じ形状の切込み部が設けられた段ボールシートが複数枚重なった重ね合わせ部において、切込み部を重ねて直線状の基端部で折り返すことによって段ボールシート複数枚を接合してなる段ボール組立て体であることにより、接着剤等の固定手段を用いずに組み立てることができる。
さらに切込み部のうち、折り返された時に折り返し方向の最も後方に位置する段ボールシートの切込み部が、他の切込み部から張り出した耳部を有することにより、耳部が引っ掛かり、搬送中の振動や衝撃によって、折り返した切込み部が外れて重ね合わせた段ボールシートがずれたり、切込み部が逆方向に折り返って物品の出し入れ時に物品を引っ掛けて段ボールシートを破ってしまったりすることがない。
【００１７】
請求項２に係る発明によれば、切込み部が基端部を１辺とする四角形であることにより、切込み部を重ね合わせやすく段ボール組立て体を容易に組立てられる。
また耳部は、基端部となる１辺に隣接する両辺の先端側に夫々基端部と略平行な方向に張り出してなることにより、２方向に耳部が張り出しているため、より切込み部が外れにくく、重ね合わせた段ボールシートがずれたり、切込み部が逆方向に折り返ってしまったりすることがない。
【００１８】
請求項３に係る発明によれば、切込み部が台形であり、短い方の底辺を基端部とすることにより、基端部に隣接する２辺がテーパ状であるため、振動や衝撃によるずれが生じにくい。
【００１９】
請求項４に係る発明によれば、帯状の段ボールシートを長手方向にｎ回折り曲げて（ｎ＋１）個の面を形成し、両端に位置する２面を重ねて前記重ね合わせ部とすることにより、１枚の段ボールシートによって、接着剤等の固定手段を用いずに、容易に底面がｎ角形の無底筒状の段ボール組立て体を形成することができる。
【００２０】
請求項５に係る発明によれば、２枚の帯状の段ボールシートを夫々長手方向にｎ回折り曲げて夫々（ｎ＋１）個の面を形成し、一方の段ボールシートの両端に位置する２面と他方の両端に位置する２面とが一致しないように前記２枚の段ボールシートを（ｎ＋１）個の面で重ねて、底面が（ｎ＋１）角形の無底筒状とし、外側に位置する段ボールシートの少なくとも両端に位置する２面での重なり部分を前記重ね合わせ部とすることにより、２枚の段ボールシートによって、底面が（ｎ＋１）角形の無底筒状の段ボール組立て体を接着剤等の固定手段を用いなくとも、２枚重ねで高強度に形成することができる。
【００２１】
請求項６に係る発明によれば、接着剤等の固定手段を用いずに容易に組み立てられ、且つ物品搬送時に振動や衝撃により段ボールシートがずれたり、物品の出し入れ時に引っ掛けて段ボールシートが破れたりすることのない緩衝材とすることができる。
【００２２】
請求項７に係る発明によれば、接着剤等の固定手段を用いずに容易に組み立てられ、且つ物品搬送時に振動や衝撃により段ボールシートがずれたり、物品の出し入れ時に引っ掛けて段ボールシートが破れたりすることのない梱包用箱体とすることができる。
【発明を実施するための最良の形態】
【００２３】
以下、本発明に係る段ボール組立て体の好適な実施形態について、図面を参照しつつ説明する。
図１は、本発明に係る段ボール組立て体の一実施形態を示す斜視模式図である。
本実施形態においては、本発明に係る段ボール組立て体の一例として図１に示すように緩衝材（１００）を挙げている。
【００２４】
緩衝材（１００）は、図１に示すように２枚の帯状の段ボールシート（１ａ）、（１ｂ）を夫々３ヶ所で折り曲げ４つの面を形成し、段ボールシート（１ａ）の両端に位置する２面（１ａａ）と段ボールシート（１ｂ）の両端に位置する２面（１ｂａ）が一致しないように、段ボールシート（１ａ）を内側に、段ボールシート（１ｂ）を外側にして重ね、底面が四角形の無底筒状に形成されている。
なお、本実施形態では段ボールシートを３ヶ所で折り曲げ底面を四角形としているが、特にこれに限定されず、２ヶ所で折り曲げて底面が三角形の無底筒状としても良いし、ｎ回折り曲げて底面が（ｎ＋１）角形の無底筒状としても良い。
【００２５】
内側に位置する段ボールシート（１ａ）の、外側の段ボールシート（１ｂ）の両端に位置する２面（１ｂａ）に重ね合わされた２面には、切込み部（１１）が設けられており、段ボールシート（１ｂ）の両端に位置する２面（１ｂａ）には切込み部（１１）の形状に対して張り出した耳部（１２１）を有する形状の切込み部（１２）が設けられている。
切込み部（１１）と切込み部（１２）が重なって基端部（１３）にて内側へ折り返されて、段ボールシート（１ａ）と段ボールシート（１ｂ）が接合されている。切込み部（１１）、（１２）は内側へ折り返されているので、外側に位置する切込み部（１２）が、折り返し方向の最後方に位置する切込み部となる。
切込み部（１１）と切込み部（１２）が折り返されて接合している部分を接合部（１０）と称す。
なお、切込み部（１１）、（１２）は、段ボールシート（１ａ）、（１ｂ）夫々の２面に各面１箇所ずつ設けられているが、これに限定されるものではなく、３面以上に設けても良く、各面に２箇所以上設けても良い。
【００２６】
図２は、切込み部（１１）、（１２）が設けられた段ボールシート（１ａ）及び（１ｂ）の夫々の面を平面視した図であり、切込み部（１１）、（１２）の形状を示す図である。
切込み部（１１）及び（１２）は折り返されていない状態である。
【００２７】
図１において内側に位置する段ボールシート（１ａ）の切込み部（１１）は、図２に示すように、基端部（１３）を短い方の底辺とする台形状に設けられている。
外側に位置する段ボールシート（１ｂ）の切込み部（１２）は、切込み部（１１）と同じ台形状から基端部（１３）に隣接する２辺の先端部分に基端部（１３）に平行に耳部（１２１）が張り出した形状となっている。
【００２８】
なお、本実施形態では切込み部（１１）の形状を台形としたが、これは、切込み部が台形であり短い方の底辺を基端部とすることにより、基端部に隣接する２辺がテーパ状であり、振動や衝撃によるずれが生じにくいからである。
切込み部の形状はこれに限定されるものではなく、例えば台形以外の四角形（正方形や長方形等）であれば、切込み部を重ね合わせやすく段ボール組立て体を容易に組立てられるので好ましく、或いは半円形等であっても良い。
また図２で、耳部（１２１）は、切込み部（１２）の先端部分で基端部（１３）に平行に張り出した台形としているが、耳部の形状、位置共にこれに限定されるものではない。
【００２９】
図３は、緩衝材（１００）の組立て手順を示す図で、図３（Ａ１）〜（Ａ３）は切込み部（１１）、図３（Ｂ１）〜（Ｂ３）は切込み部（１２）の動作を夫々段ボールシート（１ａ）、（１ｂ）に分けて示し、図３（Ｃ１）〜（Ｃ３）は切込み部（１１）、（１２）によって段ボールシート（１ａ）、（１ｂ）を接合する接合部（１０）の動作を示す。
【００３０】
図３（Ａ１）、（Ｂ１）に示すように段ボールシート（１ａ）、（１ｂ）に設けられた切込み部（１１）、（１２）は、基端部（１３）で折り返される。
接合部（１０）では、図３（Ｃ２）に示すように、段ボールシート（１ａ）と（１ｂ）が重ねられて、切込み部（１１）及び（１２）が段ボールシート（１ａ）側（図１における内側）に折り返される。
この時、切込み部（１２）は、耳部（１２１）が図３（Ｂ２）のように折り曲げられて、段ボールシート（１ａ）を通過する。切込み部（１２）が内側に折り返ったら図３（Ｂ３）のように耳部（１２１）を開く。
このようにすれば、図３（Ｃ３）のように切込み部（１１）と切込み部（１２）が噛み合うので、接着剤やステープル、粘着テープ等の固定手段を用いなくとも段ボールシート（１ａ）と段ボールシート（１ｂ）を接合することができる。
【００３１】
なお、図３（Ｂ２）、（Ｃ２）では切込み部（１２）は、耳部（１２１）を予め紙面手前側に折り曲げ、基端部（１３）で折り返されて段ボールシート（１ａ）を通過しているが、これに限定されず、予め耳部（１２１）を折り曲げないで切込み部（１２）が折り返され、段ボールシート（１ａ）を通過する時に、耳部（１２１）が切込み部（１１）に規制されて紙面奥側に折れ曲がるようにしても良い。段ボールシート（１ａ）を通過した後、耳部（１２１）は自然に開き、段ボールシート（１ａ）と段ボールシート（１ｂ）を接合することができる。
【００３２】
緩衝材（１００）は接合部（１０）が上記の如く構成されているので、搬送中に振動や衝撃が加わっても、耳部（１２１）が段ボールシート（１ａ）に引っ掛かる。そのため折り返した切込み部（１２）が外れて固定がずれたり、逆方向（外側）に折り返って物品の出し入れ時に物品を引っ掛けて破ってしまったりすることがない。
【００３３】
図４は、本発明に係る段ボール組立て体の第２の実施形態を示す図である。
第２の実施形態においては、本発明に係る段ボール組立て体の一例として図４に示すように緩衝材（２００）を挙げる。
緩衝材（２００）は、緩衝材（１００）同様に底面が四角形の無底筒状に形成された緩衝材である。
【００３４】
図４に示すように、緩衝材（２００）は１枚の帯状の段ボールシート（２）を４回折り曲げて５つの面を形成し、両端に位置する２面を重ね合わせて、接合部（２０）によって形成されている。
なお、緩衝材（１００）と同様に、段ボールシートを３ヶ所で折り曲げ底面が三角形の無底筒状としても良いし、ｎ回折り曲げて底面がｎ角形の無底筒状としても良い。
【００３５】
接合部（２０）は、緩衝材（１００）の接合部（１０）と同一の構成である。
そのため、接着剤やステープル、粘着テープ等の固定手段を用いなくとも段ボールシートの両端の面を接合でき、且つ搬送中に振動や衝撃が加わっても、折り返した切込み部が外れて固定がずれたり、逆方向（外側）に折り返って物品の出し入れ時に物品を引っ掛けて破ってしまったりすることがない。
【００３６】
なお、上記した２つの実施形態においては、何れも段ボールシートの２面を重ねて接合部としているが、これに限定されず、段ボールシートの３面以上を重ねて接合部としても良い。
【００３７】
図５に本発明に係る段ボール組立て体の使用例の一部を示す。
本発明に係る段ボール組立て体は、上記の実施形態における筒状の緩衝材（１００）、（２００）に限定されるものではなく、物品の形状に合わせて形成される複雑な形状の緩衝材や、図５（Ａ）に例示する家電やＯＡ機器等の物品（Ｍ）の梱包に使用される箱体である梱包用ケース（３００）、物品（Ｍ）を載置するためのパレット（４００）等、段ボールを組み立てて形成される多種多様な物に利用できる物である。
【００３８】
図５においては、図５（Ａ）に示すようにパレット（４００）の上方四隅に緩衝材（１００）又は（２００）を置き、物品（Ｍ）をパレット（４００）の中央に載置して、その上方から梱包用ケース（３００）を被せて物品（Ｍ）を梱包する。図５（Ｂ）は、物品（Ｍ）を梱包した状態である。
【００３９】
梱包用ケース（３００）及びパレット（４００）は、夫々段ボールシートの２面以上が重なる部分に切込み部を設け、切込み部を重ねて折り返して接合部として形成されている。
梱包用ケース（３００）の形状は、１枚又は複数枚の段ボールシートを折り曲げて筒状とし、上方の開放端部を折り曲げて閉鎖し天面とすることで下方が開口した箱状をなしているが、これに限定されるものではない。
【産業上の利用可能性】
【００４０】
本発明は、緩衝材、梱包用ケース、パレット等の段ボール組立て体に対して利用されるものである。
【図面の簡単な説明】
【００４１】
【図１】本発明に係る段ボール組立て体の一実施形態を示す斜視模式図である。
【図２】本発明に係る段ボール組立て体の一実施形態における切込み部の形状を示す図である。
【図３】本発明に係る段ボール組立て体の一実施形態における組立て手順を示す図である。
【図４】本発明に係る段ボール組立て体の第２の実施形態を示す図である。
【図５】本発明に係る段ボール組立て体の使用例を示す図である。
【図６】従来の段ボール組立て体を示す図である。
【符号の説明】
【００４２】
１００  緩衝材
１ａ    段ボールシート
１ｂ    段ボールシート
１０    接合部
１１    切込み部
１２    切込み部
１２１  耳部
１３    基端部
２００  緩衝材
３００  梱包用ケース
４００  パレット
【図１】
2010036958.tif 000003
【図２】
2010036958.tif 000004
【図３】
2010036958.tif 000005
【図４】
2010036958.tif 000006
【図５】
2010036958.tif 000007
【図６】
2010036958.tif 000008